(57)【要約】【課題】エレベータの乗場ドアパネルの外観を容易に変更可能とするエレベータシステムおよび乗場ドアパネル表示制御装置を提供する。【解決手段】実施形態によればエレベータシステムは、乗場ドアパネルと、乗場ドアパネル表示制御装置とを有する。乗場ドアパネルは、エレベータ乗場側の表面全域を覆うように、平面ディスプレイが設置されている。乗場ドアパネル表示制御装置は、乗場ドアパネルに設置された平面ディスプレイの表示内容を制御する。【選択図】図１
2015013743.tif 000002
【特許請求の範囲】
【請求項１】
エレベータ乗場側の表面全域を覆うように、平面ディスプレイが設置された乗場ドアパネルと、
前記平面ディスプレイの表示内容を制御する乗場ドアパネル表示制御装置と、
を備えたことを特徴とするエレベータシステム。
【請求項２】
前記平面ディスプレイは、有機ＥＬディスプレイまたは液晶ディスプレイで構成されている
ことを特徴とする請求項１に記載のエレベータシステム。
【請求項３】
前記乗場ドアパネル表示制御装置は、
複数の表示情報を記憶する表示情報記憶部と、
前記表示情報記憶部に記憶された中から選択された表示情報を取得し、前記平面ディスプレイに表示させるために送信する第１制御部と
を有することを特徴とする請求項１または２に記載のエレベータシステム。
【請求項４】
前記乗場ドアパネルまたは当該エレベータの乗りかごに設置され、前記乗場ドアパネル表示制御装置にアクセスするためのアドレス情報が記録された情報記録媒体と、
前記乗場ドアパネル表示制御装置に無線接続された携帯端末と
をさらに有し、
前記携帯端末は、
前記情報記録媒体から前記アドレス情報を読み取る読取部と、
前記読取部で読み取ったアドレス情報に基づいて前記乗場ドアパネル表示制御装置にアクセスし、前記表示情報記憶部に記憶された中から選択された表示情報の識別情報を前記乗場ドアパネル表示制御装置に送信する第２制御部と、
有し、
前記乗場ドアパネル表示制御装置の第１制御部は、
前記携帯端末から送信された識別情報に対応する表示情報を前記表示情報記憶部から取得し、前記平面ディスプレイに送信する
ことを特徴とする請求項３に記載のエレベータシステム。
【請求項５】
前記乗場ドアパネル表示制御装置は、当該エレベータのエレベータ制御盤に接続され、
前記乗場ドアパネル表示制御装置は、前記エレベータ制御盤からエレベータの運転状況に関する情報を取得し、取得した情報に基づいて前記平面ディスプレイの表示内容を制御する
ことを特徴とする請求項１〜４いずれか１項に記載のエレベータシステム。
【請求項６】
エレベータの乗場ドアパネルの、乗場側の表面全域を覆うように設置された平面ディスプレイに接続された乗場ドアパネル表示制御装置において、
複数の表示情報を記憶する表示情報記憶部と、
前記表示情報記憶部に記憶された中から選択された表示情報を、前記平面ディスプレイに表示させるために送信する表示情報送信部と
を有することを特徴とする乗場ドアパネル表示制御装置。
【発明の詳細な説明】
【技術分野】
【０００１】
本発明の実施形態は、エレベータシステムおよび乗場ドアパネル表示制御装置に関する。
【背景技術】
【０００２】
近年、エレベータの乗場ドアパネルは単なるエレベータの一部品ではなく、建物内のインテリアやシンボルとして扱うようになってきている。そのため、乗場ドアパネルの表面を、季節ごとや建物内の状況に応じて所望の外観に変更することが望まれている。
【先行技術文献】
【特許文献】
【０００３】
【特許文献１】特開２００５−８９１１９号公報
【発明の概要】
【発明が解決しようとする課題】
【０００４】
しかし、乗場ドアパネルの表面は塗装やシール貼りなどにより固定的にデザインが施されているため、表面の外観を変更するには扉そのものを交換する必要があり、コストがかかるとともに多くの作業工数がかかるという問題があった。
【０００５】
本発明は上記事情に鑑みてなされたものであり、エレベータの乗場ドアパネルの外観を容易に変更可能とするエレベータシステムおよび乗場ドアパネル表示制御装置を提供することを目的とする。
【課題を解決するための手段】
【０００６】
上記目的を達成するための実施形態によればエレベータシステムは、乗場ドアパネルと、乗場ドアパネル表示制御装置とを有する。乗場ドアパネルは、エレベータ乗場側の表面にデジタルディスプレイが設置されている。乗場ドアパネル表示制御装置は、乗場ドアパネルに設置されたデジタルディスプレイの表示内容を制御する。
【図面の簡単な説明】
【０００７】
【図１】第１実施形態によるエレベータシステムの構成を示すブロック図。
【図２】第１実施形態によるエレベータシステムの、木目調の模様の表示情報が表示された乗場ドアの構成を示す外観斜視図。
【図３】第１実施形態によるエレベータシステムの、化粧シート風の模様の表示情報が表示された乗場ドアの構成を示す外観斜視図。
【図４】第２実施形態によるエレベータシステムの、（ａ）ＱＲコード（登録商標）情報が設置されたかごドア、および（ｂ）ＱＲコード情報が設置された乗場ドアを示す外観図。
【図５】第２実施形態によるエレベータシステムの構成を示すブロック図。
【図６】第３実施形態によるエレベータシステムの構成を示すブロック図。
【図７】第３実施形態によるエレベータシステムの乗場ドアパネル表示制御装置の動作を示すフローチャート。
【図８】第３実施形態によるエレベータシステムの乗場ドアのデジタルディスプレイに避難経路情報が表示された状態を示す外観図。
【発明を実施するための形態】
【０００８】
《第１実施形態》
〈第１実施形態によるエレベータシステムの構成〉
本発明の第１実施形態によるエレベータシステムの構成について、図１を参照して説明する。
【０００９】
本実施形態によるエレベータシステム１Ａは、建物内の各階のエレベータ乗場に設置された乗場ドア１０と、建物の管理者が操作する乗場ドアパネル表示制御装置２０Ａとを備える。
【００１０】
乗場ドア１０は乗場ドアパネル１１を有し、この乗場ドアパネル１１が左右に移動することにより開閉する。
【００１１】
乗場ドアパネル１１のエレベータ乗場側の面には、表面全域を覆うように、有機ＥＬディスプレイまたは液晶ディスプレイ等の平面ディスプレイで構成されたデジタルディスプレイ１２が設置されている。デジタルディスプレイ１２は、乗場ドアパネル表示制御装置２０Ａに接続されている。
【００１２】
乗場ドアパネル１１は、図２に示すように、長方形の枠で構成されたバックアングル１３の上部に取り付けられた、ヘッダーケース１４に吊られている。バックアングル１３の下部には、乗場ドアパネル１１の移動をガイドする溝を有したホールシル１５が取り付けられている。そして、エレベータ乗場内の昇降路（図示せず）に面した壁に、バックアングル１３の上部がバックアングル取付ブラケット１６で固定されるとともに、ホールシル１５がホールシル取付ブラケット１７で固定されることで、乗場ドア１０が設置されている。
【００１３】
乗場ドアパネル表示制御装置２０Ａは、記憶部２１と、入力部２２と、表示部２３と、第１通信部２４と、制御部２５Ａとを有する。
【００１４】
記憶部２１は、乗場ドアパネル１１のデジタルディスプレイ１２に表示させるための、複数の表示情報を記憶する。表示情報は例えば、木目調の模様や各種化粧シート風の模様等を表示させるための情報である。
【００１５】
入力部２２は、当該建物の管理者により、乗場ドアパネル１１のデジタルディスプレイ１２に表示させる表示情報の入力操作や、選択操作を行う。
【００１６】
表示部２３は、入力部２２による操作を行わせるための、操作画面情報を表示する。
【００１７】
第１通信部２４は、デジタルディスプレイ１２との通信を行う。
【００１８】
制御部２５Ａは、記憶部２１、入力部２２、表示部２３、および第１通信部２４で実行される処理を制御する。
【００１９】
〈第１実施形態によるエレベータシステムの動作〉
次に、本実施形態によるエレベータシステム１Ａの動作として、当該建物の管理者により乗場ドアパネル表示制御装置２０Ａが操作されることで、乗場ドアパネル１１のデジタルディスプレイ１２の表示が変更される場合について説明する。
【００２０】
まず、建物の管理者により入力部２２が操作され、デジタルディスプレイ１２の表示変更要求が入力される。
【００２１】
表示変更要求が入力されると、制御部２５Ａの制御により表示変更処理を実行するための操作画面情報が表示部２３に表示される。当該操作画面情報には、記憶部２１に記憶された表示情報の識別情報一覧が含まれる。
【００２２】
表示された操作画面情報上で管理者により入力部２２が操作されることにより、表示された識別情報一覧の中からいずれかの表示情報（例えば、木目調の模様の表示情報）が選択されると、制御部２５Ａの制御により、選択された表示情報が記憶部２１から取得され、第１通信部２４からデジタルディスプレイ１２に送信される。デジタルディスプレイ１２では、受信された表示情報が表示される。
【００２３】
図２は、デジタルディスプレイ１２に木目調の模様の表示情報が表示された状態を示す外観斜視図であり、図３は、デジタルディスプレイ１２に化粧シート風の模様の表示情報が表示された状態を示す外観斜視図である。
【００２４】
このように処理されることにより、乗場ドア１０の乗場ドアパネル１１に管理者の所望の表示情報が表示され、乗場ドア１０の外観が変更される。
【００２５】
以上の第１実施形態によれば、建物の管理者が乗場ドアパネル表示制御装置を操作することにより、エレベータの乗場ドアパネルの外観を容易に変更することができる。
【００２６】
《第２実施形態》
〈第２実施形態によるエレベータシステムの構成〉
本発明の第２実施形態によるエレベータシステム１Ｂの構成について説明する。
【００２７】
本実施形態によるエレベータシステム１Ｂを構成するエレベータの乗場ドア１０は、図４（ａ）に示すように、当該エレベータのかごドア４０の乗りかご側の面４１に設置された情報記録媒体であるＱＲコード情報４２、または、図４（ｂ）に示すように、乗場ドア１０が閉状態になったときに当接され開状態になったときに視認可能になるように、乗場ドアパネル１１の当接面１８に設置されたＱＲコード情報１９を有する他は、第１実施形態で説明した場合と同様であるため詳細な説明は省略する。
【００２８】
また図５に示すように、乗場ドア１０のデジタルディスプレイ１２は乗場ドアパネル表示制御装置２０Ｂに接続され、当該乗場ドアパネル表示制御装置２０Ｂには携帯端末３０が無線接続されている。
【００２９】
乗場ドアパネル表示制御装置２０Ｂの構成は、携帯端末３０と無線通信を行う第２通信部２６を有する他は第１実施形態による乗場ドアパネル表示制御装置２０Ａの構成と同様であるため、同一機能を有する部分の詳細な説明は省略する。
【００３０】
制御部２５Ｂは、記憶部２１、入力部２２、表示部２３、第１通信部２４、および第２通信部２６で実行される処理を制御する。
【００３１】
携帯端末３０は、入力部３１と、読取部３２と、第３通信部３３と、表示部３４と、制御部３５とを有する。
【００３２】
入力部３１は、携帯端末を所持する管理者等により、乗場ドアパネル１１のデジタルディスプレイ１２に表示させる表示情報の入力操作や、選択操作を行う。
【００３３】
読取部３２は、かごドア４０に設置されたＱＲコード情報４２または１９に記録された情報を読み取る。ＱＲコード情報４２、１９には、乗場ドアパネル表示制御装置２０Ｂの制御部２５Ｂにアクセスするためのアドレス情報が含まれる。
【００３４】
第３通信部３３は、乗場ドアパネル表示制御装置２０Ｂとの無線通信を行う。
【００３５】
表示部３４は、入力部３１による操作を行わせるための、操作画面情報を表示する。
【００３６】
制御部３５は、入力部３１、読取部３２、第３通信部３３、および表示部３４で実行される処理を制御する。
【００３７】
〈第２実施形態によるエレベータシステムの動作〉
次に、本実施形態によるエレベータシステム１Ｂの動作として、当該建物の管理者により携帯端末３０が操作され、乗場ドアパネル１１のデジタルディスプレイ１２の表示が変更される場合について説明する。
【００３８】
まず、建物の管理者により携帯端末３０の入力部３１が操作され、読取部３２でかごドア４０に設置されたＱＲコード情報４２または１９に記録されたアドレス情報が読み取られる。
【００３９】
次に、管理者により入力部３１が操作され、読み取られたアドレス情報に基づいて、乗場ドアパネル表示制御装置２０Ｂの制御部２５Ｂへのアクセス要求操作が入力される。当該アクセス要求操作が行われることにより、携帯端末３０の第３通信部３３から乗場ドアパネル表示制御装置２０Ｂの第２通信部２６への無線通信が確立される。
【００４０】
無線通信が確立されると、乗場ドアパネル表示制御装置２０Ｂの制御部２５Ｂの制御により、携帯端末３０の表示部３４に表示変更処理を実行するための操作画面情報が表示される。当該操作画面情報には、記憶部２１に記憶された表示情報の識別情報一覧が含まれる。
【００４１】
表示された操作画面情報上で管理者により入力部３１が操作され、表示された識別情報一覧の中からいずれかの表示情報が選択されると、当該選択された表示情報の識別情報が乗場ドアパネル表示制御装置２０Ｂに無線送信される。
【００４２】
乗場ドアパネル表示制御装置２０Ｂでは、制御部２５Ｂの制御により、受信された表示情報の識別情報に対応する表示情報が記憶部２１から取得され、第１通信部２４からデジタルディスプレイ１２に送信される。デジタルディスプレイ１２では、受信された表示情報が表示される。
【００４３】
このように処理されることにより、乗場ドア１０の乗場ドアパネル１１に管理者の所望の表示情報が表示され、乗場ドア１０の外観が変更される。
【００４４】
以上の第２実施形態によれば、建物に管理者が携帯端末を操作することによりエレベータの乗場ドアパネルの外観を容易に変更することができるため、管理者は、エレベータ乗場において乗場ドアを視認しながら変更処理を実行することができる。
【００４５】
《第３実施形態》
〈第３実施形態によるエレベータシステムの構成〉
本発明の第３実施形態によるエレベータシステム１Ｃの構成について、図６を参照して説明する。
【００４６】
本実施形態によるエレベータシステム１Ｃを構成するエレベータの乗場ドア１０は、第１実施形態で説明した場合と同様であるため詳細な説明は省略する。
【００４７】
また図６に示すように、乗場ドア１０のデジタルディスプレイ１２は乗場ドアパネル表示制御装置２０Ｃに接続され、乗場ドアパネル表示制御装置２０Ｃには携帯端末３０が無線接続され、さらに、乗場ドアパネル表示制御装置２０Ｃにはエレベータの運転を制御するエレベータ制御盤５０が接続されている。
【００４８】
乗場ドアパネル表示制御装置２０Ｃの構成は、第２実施形態による乗場ドアパネル表示制御装置２０Ｂの構成と同様であるため、同一機能を有する部分の詳細な説明は省略する。
【００４９】
記憶部２１には、乗場ドアパネル１１のデジタルディスプレイ１２に表示させるための、複数の表示情報や、階床ごとの避難経路情報、当該避難経路情報の表示要求情報を含むＱＲコード情報等を記憶する。
【００５０】
制御部２５Ｃは、エレベータ制御盤５０から当該エレベータの運転状況に関する情報を取得し、取得した情報に基づいて、記憶部２１、入力部２２、表示部２３、第１通信部２４、および第２通信部２６で実行される処理を制御する。
【００５１】
〈第３実施形態によるエレベータシステムの動作〉
次に、本実施形態によるエレベータシステム１Ｃの動作として、エレベータの運転状況に応じて、乗場ドアパネル１１のデジタルディスプレイ１２の表示が変更される場合の処理について説明する。図７は、当該処理を実行するときの、乗場ドアパネル表示制御装置２０Ｃの動作を示すフローチャートである。
【００５２】
本実施形態において、乗場ドアパネル表示制御装置２０Ｃの制御部２５Ｃではエレベータ制御盤５０から、エレベータの運転状況に関する情報が取得されている。
【００５３】
エレベータの運転状況に関する情報としては例えば、建物内で災害が発生したことにより当該エレベータが緊急時に対応した運転が実行されていることを示す緊急時対応運転情報や、当該エレベータが点検中であることを示す点検中情報、使用中止中であることを示す使用中止情報等がある。
【００５４】
制御部２５Ｃで取得されたエレベータの運転状況に関する情報に基づいて、当該エレベータで緊急時対応運転が実行されていると判断されると（Ｓ１の「YES」）、制御部２５Ｃにより、記憶部２１に記憶された避難経路情報の表示を要求するためのＱＲコード情報が取得され、第１通信部２４からデジタルディスプレイ１２に送信される（Ｓ２）。
【００５５】
デジタルディスプレイ１２では、乗場ドアパネル表示制御装置２０Ｃから送信されたＱＲコード情報が表示される。
【００５６】
そして、乗場にいる在館者が所持する携帯端末３０の入力部３１が操作され、読取部３２により、デジタルディスプレイ１２に表示されたＱＲコード情報から避難経路情報の表示要求情報が読み取られる。
【００５７】
読み取られた表示要求情報は、在館者の操作により、携帯端末３０の第３通信部３３、乗場ドアパネル表示制御装置２０Ｃの第２通信部２６を介して乗場ドアパネル表示制御装置２０Ｃに無線送信される。
【００５８】
乗場ドアパネル表示制御装置２０Ｃでは、避難経路情報の表示要求情報が受信されると（Ｓ３の「YES」）、記憶部２１に記憶された避難経路情報が制御部２５Ｃにより取得され、第１通信部２４からデジタルディスプレイ１２に送信される（Ｓ４）。
【００５９】
送信された避難経路情報が、デジタルディスプレイ１２に表示された状態の一例を、図８に示す。図８では、避難経路情報Ａが表示されるとともに、緊急時対応運転によりエレベータが停止中であることを示すテキスト情報も併せて表示されている。
【００６０】
また、ステップＳ２においてＱＲコード情報を送信したにもかかわらず、ステップＳ３において避難経路情報の表示要求情報が取得されないとき（Ｓ３の「NO」）は、該当するエレベータ乗場の在館者がいないかまたは、乗場ドアパネル１１に異常が発生（災害による破損等）したことにより避難経路情報の表示が不可として判断され（Ｓ５）、避難経路情報の送信処理は実行されない。
【００６１】
また、ステップＳ１において緊急対応運転が実行されていると判断されていないとき（Ｓ１の「NO」）は、第１実施形態の場合と同様に、表示情報の識別情報が取得されれば（Ｓ６の「YES」）、対応する表示情報が表示される（Ｓ７）ように制御される。
【００６２】
また、エレベータ制御盤５０から点検中情報または使用中止中等の情報が取得されたときには、制御部２５Ｂの制御により、「点検中」や「使用中止中」等のテキスト情報が第１通信部２４からデジタルディスプレイ１２に送信され、表示される。
【００６３】
以上の第３実施形態によれば、エレベータの運行状況に応じて適切な表示情報を乗場ドアパネルに表示させることができる。
【００６４】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６５】
１Ａ、１Ｂ、１Ｃ…エレベータシステム
１０…乗場ドア
１１…乗場ドアパネル
１２…デジタルディスプレイ
１３…バックアングル
１４…バックアングル取付ブラケット
１５…ヘッダーケース
１６…ホールシル
１７…ホールシル取付ブラケット
１８…当接面
１９…ＱＲコード情報
２０Ａ、２０Ｂ、２０Ｃ…乗場ドアパネル表示制御装置
２１…記憶部
２２…入力部
２３…表示部
２４…第１通信部
２５Ａ、２５Ｂ、２５Ｃ…制御部
２６…第２通信部
３０…携帯端末
３１…入力部
３２…読取部
３３…第３通信部
３４…表示部
３５…制御部
４０…かごドア
４１…当接面
４２…ＱＲコード情報
５０…エレベータ制御盤
【図１】
2015013743.tif 000003
【図２】
2015013743.tif 000004
【図３】
2015013743.tif 000005
【図４】
2015013743.tif 000006
【図５】
2015013743.tif 000007
【図６】
2015013743.tif 000008
【図７】
2015013743.tif 000009
【図８】
2015013743.tif 000010
【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
エレベータ乗場側の表面全域を覆うように、平面ディスプレイが設置された乗場ドアパネルと、
前記平面ディスプレイの表示内容を制御する乗場ドアパネル表示制御装置と、
前記乗場ドアパネルまたは当該エレベータの乗りかごに設置され、前記乗場ドアパネル表示制御装置にアクセスするためのアドレス情報が記録された情報記録媒体と、
前記平面ディスプレイに表示させる表示情報の識別情報を、前記乗場ドアパネル表示制御装置に無線送信する携帯端末と、
を備えたエレベータシステムであって、
前記乗場ドアパネル表示制御装置は、
複数の表示情報を記憶する表示情報記憶部と、
前記携帯端末から送信された識別情報に対応する表示情報を前記表示情報記憶部から取得し、前記平面ディスプレイに送信する第１制御部と
を有し、
前記携帯端末は、
前記情報記録媒体から前記アドレス情報を読み取る読取部と、
前記読取部で読み取ったアドレス情報に基づいて前記乗場ドアパネル表示制御装置にアクセスし、前記表示情報記憶部に記憶された中から選択された表示情報の識別情報を、前記乗場ドアパネル表示制御装置に送信する識別情報とする第２制御部と
を有することを特徴とするエレベータシステム。
【請求項２】
前記平面ディスプレイは、有機ＥＬディスプレイまたは液晶ディスプレイで構成されている
ことを特徴とする請求項１に記載のエレベータシステム。
【請求項３】
前記乗場ドアパネル表示制御装置は、当該エレベータのエレベータ制御盤に接続され、
前記乗場ドアパネル表示制御装置の前記第１制御部は、前記エレベータ制御盤からエレベータの運転状況に関する情報を取得し、取得した情報に基づいて前記平面ディスプレイの表示内容を制御する
ことを特徴とする請求項１または２に記載のエレベータシステム。
【手続補正３】
【補正対象書類名】明細書
【補正対象項目名】０００１
【補正方法】変更
【補正の内容】
【０００１】
本発明の実施形態は、エレベータシステムに関する。
【手続補正４】
【補正対象書類名】明細書
【補正対象項目名】０００５
【補正方法】変更
【補正の内容】
【０００５】
本発明は上記事情に鑑みてなされたものであり、エレベータの乗場ドアパネルの外観を
容易に変更可能とするエレベータシステムを提供することを目的とする。
【手続補正５】
【補正対象書類名】明細書
【補正対象項目名】０００６
【補正方法】変更
【補正の内容】
【０００６】
上記目的を達成するための実施形態によればエレベータシステムは、エレベータ乗場側の表面全域を覆うように、平面ディスプレイが設置された乗場ドアパネルと、平面ディスプレイの表示内容を制御する乗場ドアパネル表示制御装置と、乗場ドアパネルまたは当該エレベータの乗りかごに設置され、乗場ドアパネル表示制御装置にアクセスするためのアドレス情報が記録された情報記録媒体と、平面ディスプレイに表示させる表示情報の識別情報を乗場ドアパネル表示制御装置に無線送信する携帯端末とを備える。乗場ドアパネル表示制御装置は、複数の表示情報を記憶する表示情報記憶部と、携帯端末から送信された識別情報に対応する表示情報を表示情報記憶部から取得し、平面ディスプレイに送信する第１制御部とを有する。携帯端末は、情報記録媒体からアドレス情報を読み取る読取部と、読み取ったアドレス情報に基づいて乗場ドアパネル表示制御装置にアクセスし、表示情報記憶部に記憶された中から選択された表示情報の識別情報を、乗場ドアパネル表示制御装置に送信する識別情報とする第２制御部とを有する。